(57)【要約】【課題】エアフィルター清掃機能を有したフィルター装置において、ブラシで掻き落として清掃するとブラシに塵埃が絡みついたり、掻き落として集めた塵埃を処理しなくてはならず、メンテナンスの手間が大幅に軽減されるものではなく、一方、吸引にて清掃する方法においても充分な清掃性能が得られないという課題があった。【解決手段】吸引ノズルに吸引孔５０４とブラシ５０５を設けた駆動可能なベルト５０３を設け、吸引清掃位置を切り換えてエアフィルターをスイープ動作による清掃を行う方式において、ベルトガイド５０６と吸引ノズル５０１のベルト５０３が接触する面に溝を設け、接触面積を減らすことでベルト５０３の駆動トルクを低減させ、安定したベルト５０３の動作の下にブラシと吸引を併用した高い清掃性能を発揮する吸引ノズル（＝清掃ノズル）を実現することができる。【選択図】図５
2006234187.tif 000002
【特許請求の範囲】
【請求項１】
エアフィルターと、エアフィルターを清掃する清掃ノズルを具備し、清掃ノズルは駆動可能なベルトと、ベルトを清掃ノズルに沿わせるベルトガイドを具備し、清掃ノズルとベルトガイドの少なくとも一方には複数の突起を設けたことを特徴とする空気調和機のフィルター装置。
【請求項２】
エアフィルターと、エアフィルターを清掃する清掃ノズルを具備し、清掃ノズルは駆動可能なベルトと、ベルトを清掃ノズルに沿わせるベルトガイドを具備し、清掃ノズルとベルトガイドの少なくとも一方には複数のくぼみを設けたことを特徴とする空気調和機のフィルター装置。
【請求項３】
エアフィルターと、エアフィルターを清掃する清掃ノズルを具備し、清掃ノズルは駆動可能なベルトと、ベルトを清掃ノズルに沿わせるベルトガイドを具備し、清掃ノズルとベルトガイドの少なくとも一方には複数の溝を設けたことを特徴とする空気調和機のフィルター装置。
【請求項４】
ベルトガイドの溝は、ベルトの駆動方向に対し斜めに設けたことを特徴とする請求項３記載の空気調和機のフィルター装置。
【請求項５】
エアフィルターと、エアフィルターを清掃する清掃ノズルを具備し、清掃ノズルは駆動可能なベルトと、ベルトを清掃ノズルに沿わせるベルトガイドを具備し、清掃ノズルとベルトガイドの少なくとも一方には布を貼付したことを特徴とする空気調和機のフィルター装置。
【発明の詳細な説明】
【技術分野】
【０００１】
本発明は、エアフィルターの清掃を自動的に行うようにした空気調和機のフィルター装置に関するものである。
【背景技術】
【０００２】
従来の空気調和機のフィルター装置は、熱交換器の前面に空気調和機の本体内部へ埃が侵入することを防ぐためのエアフィルターが設けられており、このエアフィルターは付着した塵埃を手で清掃できるように着脱自在に構成されている。こうした構成でのフィルター装置は頻繁なメンテナンスが必要となるだけでなく、メンテナンスが行われるまでの間にはエアフィルターが徐々に目詰まりしていき、その結果、熱交換器を通過する風量が低下して空調能力が低下して消費電力の増大につながることとなる。
【０００３】
このため、エアフィルターのメンテナンスの手間を低減する目的で、特許文献１のようにエアフィルターに付着した塵埃をブラシにて掻き落として清掃するフィルター装置や、特許文献２のようにエアフィルターに付着した塵埃を吸引にて清掃するフィルター装置が考案されている。
【特許文献１】特開平６−７４５２１号公報
【特許文献２】特開２００２−３４０３９５号公報
【発明の開示】
【発明が解決しようとする課題】
【０００４】
しかしながら、前記従来技術では、ブラシで掻き落として清掃するとブラシに塵埃が絡みついたり、掻き落として集めた塵埃を処理しなくてはならず、メンテナンスの手間が大幅に軽減されるものではないという課題があった。
【０００５】
本発明は、前記従来の課題を解決するもので、高性能なエアフィルター清掃能力を有し、メンテナンスの手間も大幅に低減できる空気調和機のフィルター装置を提供することを目的とする。
【課題を解決するための手段】
【０００６】
前記従来の課題を解決するために、本発明の空気調和機のフィルター装置は、駆動可能なベルトと、ベルトを清掃ノズルの沿わせるベルトガイドを具備した清掃ノズルにおいて、清掃ノズルとベルトガイドの少なくとも一方には突起、もしくは窪み、もしくは溝を設けたものである。
【０００７】
これによって、清掃ノズルのベルトの摺動摩擦を低減して、ベルトの駆動トルクを低下させることができるので、ベルトにブラシを取り付けてブラシを駆動させて清掃させる方式や、ベルトに吸引孔を設けて吸引位置をスイープ動作させて清掃を行う方式などを安定したベルトの動作のもとに行うことが可能となり、高い清掃性能を発揮する清掃ノズルを実現することができる。また、ベルトと清掃ノズルおよびベルトガイドの間に隙間ができるので、その隙間にベルト表面に付着した塵埃を逃がすことができ、ベルトの損傷を防止して清掃ノズルの信頼性を向上することができる。
【０００８】
また、本発明の空気調和機のフィルター装置は、駆動可能なベルトと、ベルトを清掃ノズルの沿わせるベルトガイドを具備した清掃ノズルにおいて、清掃ノズルとベルトガイドの少なくとも一方には布を貼付したものである。
【０００９】
これによって、清掃ノズルのベルトの摺動摩擦をより低減して、駆動トルクを低下させることができると同時に、ベルトに油分などが付着しても布が油分をふき取ってくれるので、油分などによってベルトの摺動抵抗が増大して動作が不安定になることを防止することができる。また、ベルト表面に付着した塵埃をも布がふき取ってくれるので、ベルトの損傷を防止して清掃ノズルの信頼性を向上することができる。
【発明の効果】
【００１０】
本発明の空機調和機のフィルター装置は、清掃ノズルのベルトの摺動摩擦を低減してベルトの駆動トルクを低下させて安定したベルト動作を行うことができるので、ベルトにブラシを取り付けてブラシを駆動させて清掃させる方式や、ベルトに吸引孔を設けて吸引位置をスイープ動作させて清掃を行う方式などが可能となり、様々なエアフィルターの塵埃を清掃するフィルター清掃装置を実現することができる。
【発明を実施するための最良の形態】
【００１１】
第１の発明は、エアフィルターと、エアフィルターを清掃する清掃ノズルを具備した空気調和機のフィルター装置において、清掃ノズルは駆動可能なベルトと、ベルトを清掃ノズルに沿わせるベルトガイドを具備し、清掃ノズルとベルトガイドの少なくとも一方には複数の突起を設けたことにより、清掃ノズルのベルトの摺動摩擦を低減して、ベルトの駆動トルクを低下させることができるので、ベルトにブラシを取り付けてブラシを駆動させて清掃させる方式や、ベルトに吸引孔を設けて吸引位置をスイープ動作させて清掃を行う方式などを安定したベルトの動作のもとに行うことが可能となり、高い清掃性能を発揮する清掃ノズルを実現することができる。また、ベルト駆動が低トルクでよいことから、ベルト駆動モータを小型化することができ、フィルター装置の小型化・低コスト化を図ることが可能になる。また、ベルトと清掃ノズルおよびベルトガイドの間に隙間ができるので、その隙間にベルト表面に付着した塵埃を逃がすことができ、ベルトの損傷を防止して清掃ノズルの信頼性をも向上することができる。
【００１２】
第２の発明は、エアフィルターと、エアフィルターを清掃する清掃ノズルを具備した空気調和機のフィルター装置において、清掃ノズルは駆動可能なベルトと、ベルトを清掃ノズルに沿わせるベルトガイドを具備し、清掃ノズルとベルトガイドの少なくとも一方には複数のくぼみを設けたことにより、清掃ノズルのベルトの摺動摩擦を低減して、ベルトの駆動トルクを低下させることができる効果をもちながら、ベルトの損傷をさらに防止して清掃ノズルの信頼性を向上させることができる。また、清掃ノズルをより薄く構成することが可能となり、フィルター装置の薄型化を図ることができる。
【００１３】
第３の発明は、エアフィルターと、エアフィルターを清掃する清掃ノズルを具備した空気調和機のフィルター装置において、清掃ノズルは駆動可能なベルトと、ベルトを清掃ノズルに沿わせるベルトガイドを具備し、清掃ノズルとベルトガイドの少なくとも一方には複数の溝を設けたことにより、清掃ノズルを薄く構成しながらも、清掃ノズルのベルトの摺動摩擦をより低減することができる。
【００１４】
第４の発明は、特に第３の発明における溝をベルトの駆動方向に対し斜めに設けたことにより、清掃ノズルのベルトの摺動摩擦をより低減することができる。また、ベルトが駆動をするうちに、ベルト表面に付着した塵埃を運び出してくるので、ベルトが塵埃によって傷つくことを防止でき、ベルトの信頼性をより向上することができる。
【００１５】
第５の発明は、エアフィルターと、エアフィルターを清掃する清掃ノズルを具備した空気調和機のフィルター装置において、清掃ノズルは駆動可能なベルトと、ベルトを清掃ノズルに沿わせるベルトガイドを具備し、清掃ノズルとベルトガイドの少なくとも一方には布を貼付したことにより、清掃ノズルのベルトの摺動摩擦をより低減して、駆動トルクを
低下させることができると同時に、ベルトに油分などが付着しても布が油分をふき取ってくれるので、油分などによってベルトの摺動抵抗が増大して動作が不安定になることを防止することができる。また、ベルト表面に付着した塵埃をも布がふき取ってくれるので、ベルトの損傷を防止して清掃ノズルの信頼性を向上することができる。
【００１６】
以下、本発明の実施の形態について、図面を参照しながら説明する。なお、この実施の形態によって本発明が限定されるものではない。
【００１７】
（実施の形態１）
図１は、本発明の第１の実施の形態における空気調和機のフィルター装置の全体構成図である。この図において熱交換器を通過する空気の塵埃を除去するエアフィルターは、フィルター枠１０１と、フィルター網１０２から構成され、そのエアフィルターの表面に沿って移動可能な清掃ノズルとして吸引ノズル１０３が設けられる。吸引ノズル１０３はフィルター枠の上下端に設置されたガイドレール１０４により、エアフィルターと一定の距離を保って円滑に左右に移動することができる。吸引ノズル１０３には吸引ダクト１０５が連結され、さらに吸引ダクト１０５は吸引装置１０６に連結される。吸引ダクト１０５は吸引ノズル１０３の移動に差し支えないように折り曲げ可能なダクトで形成される。さらに、吸引装置１０６には排気ダクト１０７が連結され、室外へ引き回される。エアフィルター上に付着した塵埃は吸引ノズル１０３より吸引され、さらに、吸引ダクト１０５、吸引装置１０６、排気ダクト１０７を経由して室外へ排出される。この構成においては、フィルター装置を一般家庭用の小型空気調和機に内蔵するに際して吸引装置の小型化・小出力化を図る必要があるため、小風量で強い吸引力を発揮できるようにしなければならず、吸引ノズル１０３は吸引を一部分に絞って吸引力を強め、その位置を切り換えることでエアフィルター全面を清掃する吸引位置切り換え装置を用いている。そこで次に、吸引位置切り替え装置を含め、本実施の形態１における吸引ノズル１０３（＝清掃ノズル）について詳細を記述する。
【００１８】
図２は本発明の第１の実施の形態における空気調和機のフィルター装置の、吸引ノズルの構造を示すものである。
【００１９】
図２において、吸引ノズル本体２０１にはエアフィルター全長に相当する長いスリット状の開口部２０２を設け、さらに、この開口部２０２に沿って駆動可能なベルト２０３に吸引孔２０４を設けることで開口部２０２の一部分のみから吸引でき、かつ、ベルト２０３を駆動して吸引する場所を可変することができるようにすることで吸引位置切り換え装置を構成している。こうした構成により、小さい風量でも小さな吸引孔に絞られるので吸引孔の風速は増大し、小型の吸引装置でも強い吸引力を発揮することが可能となる。なお、エアフィルター全面の清掃には図３に示すように、吸引ノズル３０１のベルト３０２を駆動して吸引孔３０３の位置を変え、吸引ノズル３０１をエアフィルター３０５に沿って左右に駆動することで吸引孔３０３を図中の矢印に示すようなスイープ動作させて全面を清掃することができる。図３においては、吸引孔３０３はエアフィルター全長の１／４の長さにされており、図中矢印に示すような４往復のスイープ動作にてエアフィルター全面を清掃するようにしている。説明を図２に戻すが、ベルト２０３の表面には、吸引孔２０４の横にブラシ２０５が固着されており、ベルトの駆動により吸引孔とともにブラシ位置も可変できるようにすることで、吸引位置切り換え装置に連動したブラシの駆動を実現している。これによりブラシ２０５でエアフィルターに強く付着した塵埃をこすりはがし、それを吸引孔２０４で吸引することで高い清掃性能を発揮することができる。また、ベルト２０３は吸引ノズル本体２０１に沿わせるため、吸引ノズル本体２０１に組み込まれるか、もしくは一体に形成された（溶着や接着によって一体に形成される）ベルトガイド２０６によって覆われている。
【００２０】
ところで、この構成の吸引ノズルにおいては次の２点の内容を考慮する必要がある。第１には、吸引孔２０４以外の個所での吸引漏れを如何に低減するかである。吸引ノズル本体２０１には開口部２０２が設けられているが、吸引孔２０４位置以外はベルト２０３が吸引ノズル本体２０１に密着して開口部２０２をシールしているようにする必要がある。第２には、ブラシ２０５はこすられることで相応の抵抗を受けるので、この抵抗力によってブラシ２０５の設けられたベルト２０３がめくれて清掃動作が不安定になったりしないようにすることである。したがってベルト２０３をしっかりと吸引ノズル本体２０１に保持しなくてはならない。上記２点に対応するためには、ベルト２０３を吸引ノズル本体２０１とベルトガイド２０６との間で極力少ないクリアランスで挟み込む構成が不可欠となる。ところが一方で、ベルト２０３は吸引孔位置を可変するために駆動しなくてはならないので、クリアランスを狭めれば狭めるほどのベルト２０３の摺動摩擦が大きくなり、ベルト２０３の駆動が不安定になるだけでなく、ベルト２０３が吸引ノズル本体２０１やベルトガイド２０６とこすれることでベルト２０３の表面に傷がつくなどの信頼性上の問題が発生することになる。特に、ベルト２０３には吸引ノズル先端および根元での１８０度の折れ曲がりに対処するため柔軟性が必要であり、そのためにはベルト２０３は薄くする必要が出てくることになるので、ベルト表面の傷は断裂につながりかねないことになる。さらに、摺動摩擦が大きくなることで、ベルト２０３を駆動するモータに大きなトルクが必要となって、フィルター装置が大型化し、その結果、空気調和機への搭載が困難になったり、コストの増大を招くことになる。
【００２１】
そこで、本実施の形態１においては、ベルトガイド２０６のベルト２０３への接触部に細かい複数の円状の突起２０７を設けている。突起はベルト２０３を均一に押さえるように分布させている。こうした構成であれば、吸引ノズルのＡ部断面図である図２(ｂ)にあるように、ベルト２０３は突起２０７の先端部で吸引ノズル本体２０１に押さえつけられるので接触面積を大幅に減らすことができ、したがって、ベルト２０３を駆動するときの摺動抵抗も大幅に減らすことができる。一方で、ベルト２０３は極めて少ないクリアランスで吸引ノズル本体２０１に押し付けられているので、吸引孔２０４以外での吸引漏れはほとんど発生しないので、吸引孔２０４では強い吸引力を発揮することができる。また、突起２０７はベルト２０３を均一に押さえているので、ベルト２０３がブラシ２０５をしっかり保持でき、安定したブラシ２０５の動作が可能となる。これによって、ブラシ２０５によるエアフィルター上の塵埃引き剥がしと、吸引孔２０４による強力な吸引を併用した高い清掃性能をもつ清掃ノズル（＝吸引ノズル）を小型・低コストで構成することができる。
【００２２】
また、本実施の形態１では示していないが、ベルトガイド２０６のある部分だけでなく、吸引ノズル本体２０１の全周に渡り、ベルト２０３と接触する部分に突起を設ければ、よりベルト２０３を駆動する時の摺動抵抗を低減できることは言うまでもない。
【００２３】
（実施の形態２）
本発明の第２の実施の形態における空気調和機のフィルター装置の全体構成図は、実施の形態１で図１を用いて説明したものと同様であるので説明を省略する。
【００２４】
図４は本発明の第２の実施の形態における空気調和機のフィルター装置の、吸引ノズルの構造を示すものである。
図４において、吸引ノズル本体４０１にはエアフィルター全長に相当する長いスリット状の開口部４０２を設け、さらに、この開口部４０２に沿って駆動可能なベルト４０３に吸引孔４０４を設けることで開口部４０２の一部分のみから吸引でき、かつ、ベルト４０３を駆動して吸引する場所を可変することができるようにすることで吸引位置切り換え装置を構成している。また、ベルト４０３の表面には、吸引孔４０４の横にブラシ４０５が固着されており、ベルトの駆動により吸引孔とともにブラシ位置も可変できるようにするこ
とで、吸引位置切り換え装置に連動したブラシの駆動を実現している。また、ベルト４０３は吸引ノズル本体４０１に沿わせるため、吸引ノズル本体４０１に組み込まれるか、もしくは一体に形成された（溶着や接着によって一体に形成される）ベルトガイド４０６によって覆われている。
【００２５】
本実施の形態２においては、ベルトガイド４０６のベルト４０３への接触部、および吸引ノズル本体４０１のベルト４０３への接触部の双方に細かい複数の円状のくぼみ４０７（ゴルフボールのディンプルのようなくぼみ）を設けている。こうした構成であれば、吸引ノズルのＢ部断面図である図４(ｂ)にあるように、ベルト４０３とベルトガイド４０６の接触面積は、くぼみ４０７に分だけ減らすことができ、したがって、ベルト４０３を駆動するときの摺動抵抗も大幅に減らすことができる。一方で、ベルト４０３は極めて少ないクリアランスで吸引ノズル本体４０１に押し付けられているので、吸引孔４０４以外での吸引漏れはほとんど発生しないので、吸引孔４０４では強い吸引力を発揮することができ、また、ベルトガイド４０６はベルト４０３を均一に押さえているので、ベルト４０３がブラシ４０５をしっかり保持でき、安定したブラシ４０５の動作が可能となる。さらに、本発明の実施の形態１で説明した突起では、吸引ノズル本体４０１に設けるとベルト４０３を浮き上がらせてしまうため、吸引漏れを引き起こすことになって困難であったが、くぼみであればベルト４０３を吸引ノズル本体４０１に密着させることができるので、吸引漏れを引き起こす心配がないので設けることが容易であり、これによって、ベルト４０３が駆動する時の摺動抵抗を大きく低減することができる。また、突起では突起先端の一点に力が集中するため、ベルト４０３を傷め易かったが、くぼみであれば力は分散された面（＝くぼみ以外の個所）で受けることになるのでベルトを傷つけずに済み、吸引ノズルの信頼性を向上することができる。これらによって、ブラシ４０５によるエアフィルター上の塵埃引き剥がしと、吸引孔４０４による強力な吸引を併用した高い清掃性能をもつ清掃ノズル（＝吸引ノズル）を小型・低コストで構成することができる。
【００２６】
さらに、くぼみであればベルトガイド４０６や吸引ノズル本体４０１の筐体の肉厚内に設けることができるので、吸引ノズルを薄いままに構成することが可能である。
【００２７】
また、本実施の形態２では示していないが、ベルトガイド４０６のある部分だけでなく、吸引ノズル本体４０１の全周に渡り、ベルト４０３と接触する部分にくぼみを設ければ、よりベルト４０３を駆動する時の摺動抵抗を低減できることは言うまでもない。
【００２８】
（実施の形態３）
本発明の第３の実施の形態における空気調和機のフィルター装置の全体構成図は、実施の形態１で図１を用いて説明したものと同様であるので説明を省略する。
【００２９】
図５は本発明の第３の実施の形態における空気調和機のフィルター装置の、吸引ノズルの構造を示すものである。
図５において、吸引ノズル本体５０１にはエアフィルター全長に相当する長いスリット状の開口部５０２を設け、さらに、この開口部５０２に沿って駆動可能なベルト５０３に吸引孔５０４を設けることで開口部５０２の一部分のみから吸引でき、かつ、ベルト５０３を駆動して吸引する場所を可変することができるようにすることで吸引位置切り換え装置を構成している。また、ベルト５０３の表面には、吸引孔５０４の横にブラシ５０５が固着されており、ベルトの駆動により吸引孔とともにブラシ位置も可変できるようにすることで、吸引位置切り換え装置に連動したブラシの駆動を実現している。また、ベルト５０３は吸引ノズル本体５０１に沿わせるため、吸引ノズル本体５０１に組み込まれるか、もしくは一体に形成された（溶着や接着によって一体に形成される）ベルトガイド５０６によって覆われている。
【００３０】
本実施の形態３においては、ベルトガイド５０６のベルト５０３への接触部、および吸引ノズル本体５０１のベルト５０３への接触部の双方に、ベルト５０３の駆動方向に対し４５度の角度で複数の細かい溝５０７を設けている。こうした構成であれば、吸引ノズルのＣ部断面図である図５(ｂ)にあるように、ベルト５０３とベルトガイド５０６の接触面積、およびベルト５０３と吸引ノズル本体５０１の接触面積は、溝５０７のくぼみ分だけ減らすことができ、したがって、ベルト５０３を駆動するときの摺動抵抗も大幅に減らすことができる。一方で、ベルト５０３は極めて少ないクリアランスで吸引ノズル本体５０１に押し付けられているので、吸引孔５０４以外での吸引漏れはほとんど発生しないので、吸引孔５０４では強い吸引力を発揮することができ、また、ベルトガイド５０６はベルト５０３を均一に押さえているので、ベルト５０３がブラシ５０５をしっかり保持でき、安定したブラシ５０５の動作が可能となる。また、溝５０７であってもベルト５０３の受ける力は分散された面（＝溝以外の個所）で受けることになるのでベルトを傷つけずに済み、吸引ノズルの信頼性を向上することができる。これらによって、ブラシ５０５によるエアフィルター上の塵埃引き剥がしと、吸引孔５０４による強力な吸引を併用した高い清掃性能をもつ清掃ノズル（＝吸引ノズル）を小型・低コストで構成することができる。さらに、溝であればベルトガイド５０６や吸引ノズル本体５０１の筐体の肉厚内に設けることができるので、吸引ノズルを薄いままに構成することが可能である。
【００３１】
また、本実施の形態３では示していないが、ベルトガイド５０６のある部分だけでなく、吸引ノズル本体５０１の全周に渡り、ベルト５０３と接触する部分に溝を設ければ、よりベルト５０３を駆動する時の摺動抵抗を低減できることは言うまでもない。
【００３２】
ところで、上記のような方式でブラシと吸引を併用した清掃を長期間行っていると、ベルト５０３の表面には塵埃が徐々に付着してくる。これには、繊維だけでなく細かい砂塵なども含まれており、その状態のままで吸引清掃位置を切り替えるためにベルト５０３の駆動を繰り返していくと、塵埃がベルト５０３の表面を傷つけ、断裂などに至らしめる可能性がでてくる。そこで、本実施の形態３においては、溝５０７をベルト５０３の駆動方向に対し４５度という斜めの角度で設けている。これにより、ベルト５０３が駆動するにしたがって、ベルト５０３と溝５０７がこすれる力が塵埃に対し（ベルトの駆動方向に対し）横方向に働くことになり、ベルト５０３の表面に付着した塵埃はいずれベルト５０３の外に運び出されてくることになる。したがって、ベルト５０３とベルトガイド５０６のクリアランス、およびベルト５０３と吸引ノズル本体５０１のクリアランスは常にきれいな状態で保つことができ、ベルト５０３が塵埃で傷つくことを防止することができる。
【００３３】
（実施の形態４）
本発明の第４の実施の形態における空気調和機のフィルター装置の全体構成図は、実施の形態１で図１を用いて説明したものと同様であるので説明を省略する。
【００３４】
図６は本発明の第４の実施の形態における空気調和機のフィルター装置の、吸引ノズルの構造を示すものである。
図６において、吸引ノズル本体６０１にはエアフィルター全長に相当する長いスリット状の開口部６０２を設け、さらに、この開口部６０２に沿って駆動可能なベルト６０３に吸引孔６０４を設けることで開口部６０２の一部分のみから吸引でき、かつ、ベルト６０３を駆動して吸引する場所を可変することができるようにすることで吸引位置切り換え装置を構成している。また、ベルト６０３の表面には、吸引孔６０４の横にブラシ６０５が固着されており、ベルトの駆動により吸引孔とともにブラシ位置も可変できるようにすることで、吸引位置切り換え装置に連動したブラシの駆動を実現している。また、ベルト６０３は吸引ノズル本体６０１に沿わせるため、吸引ノズル本体６０１に組み込まれるか、もしくは一体に形成された（溶着や接着によって一体に形成される）ベルトガイド６０６によって覆われている。
【００３５】
本実施の形態４においては、ベルトガイド６０６のベルト６０３への接触部、および吸引ノズル本体６０１のベルト６０３への接触部の双方に薄い不織布６０７を貼付している。こうした構成であれば、吸引ノズルのＤ部断面図である図６(ｂ)にあるように、ベルト６０３は不織布６０７に密着して挟まれる状態になる。不織布６０７は細かい繊維からできているので、特にベルト６０３にＰＥＮやＰＥＴで出来た樹脂フィルムを用いる場合などは非常に滑り易く、ベルト６０３の摺動抵抗を大幅に低減することができる。さらに、この摺動抵抗の低さゆえに、ベルト６０３はクリアランスなしで吸引ノズル本体５０１に貼付した不織布と、ベルトガイド６０６に貼付した不織布で挟み込むことができるので、吸引漏れを大幅に抑制して強い吸引力を発揮することができ、また、ベルトガイド６０６はベルト６０３をベルトガイド全面で均一に押さえているので、ベルト６０３がブラシ６０５をしっかり保持でき、安定したブラシ６０５の動作が可能となる。また、不織布６０７は柔らかく弾力をもつのでベルト６０３の表面をなでるような効果をもち、ベルト６０３を傷つけずに済み、吸引ノズルの信頼性を向上することができる。これらによって、ブラシ６０５によるエアフィルター上の塵埃引き剥がしと、吸引孔６０４による強力な吸引を併用した高い清掃性能をもつ清掃ノズル（＝吸引ノズル）を小型・低コストで構成することができる。
【００３６】
また、本実施の形態４では示していないが、ベルトガイド６０６のある部分だけでなく、吸引ノズル本体６０１の全周に渡り、ベルト６０３と接触する部分に溝を設ければ、よりベルト６０３を駆動する時の摺動抵抗を低減できることは言うまでもない。
【００３７】
ところで、上記のような方式でブラシと吸引を併用した清掃を長期間行っていると、その使用環境次第ではベルト６０３の表面には塵埃だけでなく油分やタバコのヤニなどの粘着成分が徐々に付着してくることがある。この粘着成分はベルト６０３を駆動する場合の摺動抵抗を大幅に増大させてしまう。しかしながら、本実施の形態４にある構成で不織布６０７を設けると、ベルト６０３が駆動すると同時に不織布６０７がベルト６０３の表面に付着した粘着成分をふき取ってくれる。この結果、油分やタバコのヤニなどの多い環境下でも長期間、メンテナンスなしで高い清掃性能をもつ清掃ノズル（＝吸引ノズル）を使用し続けることが可能となる。
【００３８】
もちろん、不織布に限らず、起毛布や、普通の布を用いても良いことはいうまでもない。
【産業上の利用可能性】
【００３９】
以上のように、本発明にかかる空気調和機のフィルター装置は、清掃ノズルのベルトの駆動トルクを低下させるとともに、ベルトの清掃ノズルへの密着性も向上させることができるので、ベルトにブラシを取り付けてブラシを駆動させて清掃させる方式や、ベルトに吸引孔を設けて吸引位置をスイープ動作させて清掃を行う方式などが可能となるので、様々なエアフィルターの塵埃を清掃するフィルター清掃装置を実現することができ、空気調和機のエアフィルターだけでなく冷却ファンを有する機器などのエアフィルター（例えば安定化電源のエアフィルターなど）を自動清掃するフィルター装置などへの適用や、窓などエアフィルター以外のものを自動清掃する清掃装置などへの適用もできる。
【図面の簡単な説明】
【００４０】
【図１】本発明の実施の形態１における空気調和機のフィルター装置の全体構成を示す斜視図
【図２】本発明の実施の形態１における空気調和機のフィルター装置の吸引ノズルの構造を示す斜視図と断面図
【図３】本発明の実施の形態１における空気調和機のフィルター装置の吸引ノズルにおける清掃の動作を示す模式図
【図４】本発明の実施の形態２における空気調和機のフィルター装置の吸引ノズルの構造を示す斜視図と断面図
【図５】本発明の実施の形態３における空気調和機のフィルター装置の吸引ノズルの構造を示す斜視図と断面図
【図６】本発明の実施の形態４における空気調和機のフィルター装置の吸引ノズルの構造を示す斜視図と断面図
【符号の説明】
【００４１】
１０１  フィルター枠
１０２  フィルター網
１０３  吸引ノズル
１０４  ガイドレール
１０５  吸引ダクト
１０６  吸引装置
１０７  排気ダクト
２０１  吸引ノズル本体
２０２  開口部
２０３  ベルト
２０４  吸引孔
２０５  ブラシ
２０６  ベルトガイド
２０７  突起
３０１  吸引ノズル
３０２  ベルト
３０３  吸引孔
３０４  ブラシ
３０５  エアフィルター
４０１  吸引ノズル本体
４０２  開口部
４０３  ベルト
４０４  吸引孔
４０５  ブラシ
４０６  ベルトガイド
４０７  くぼみ
５０１  吸引ノズル本体
５０２  開口部
５０３  ベルト
５０４  吸引孔
５０５  ブラシ
５０６  ベルトガイド
５０７  溝
６０１  吸引ノズル本体
６０２  開口部
６０３  ベルト
６０４  吸引孔
６０５  ブラシ
６０６  ベルトガイド
６０７  不織布
【図１】
2006234187.tif 000003
【図２】
2006234187.tif 000004
【図３】
2006234187.tif 000005
【図４】
2006234187.tif 000006
【図５】
2006234187.tif 000007
【図６】
2006234187.tif 000008